(57)【要約】  本発明は、くつの本底に関し、本底では、かかと部および母指球部（１ａ、１ｂ）において、複数の要素（２ａ、２ｂ）が、全周囲で前記本底を囲むくつ底表面（３）に対して下方に突出し、その要素は、ランニング中に、要素に作用する力により、くつ底表面（３）と整列するまで垂直方向および／または全周囲に向かって水平方向に変形することができる。本発明によれば、少なくとも２つのグループの要素（２ａ、２ｂ）が設けられ、垂直方向の変形によって前記要素をくつ底表面（３）と整列させるために、第１のグループの要素（２ａ）に対して、第２のグループの要素（２ｂ）に対するよりも少なくとも１０Ｎだけ大きい力が必要とされ、水平方向の変形によって前記要素をくつ底表面（３）と整列させるために、第１のグループの要素（２ａ）に対して、第２のグループの要素（２ｂ）に対するよりも少なくとも５Ｎだけ小さい力が必要とされる。【選択図】図１a
2013539673.tif 000002
【特許請求の範囲】
【請求項１】
かかと部（１ａ）および母指球部（１ｂ）で、複数の要素（２ａ、２ｂ）が、全周囲で前記要素を囲むくつ底表面（３）に対して下方に突出し、ランニング中に力が前記要素に作用する結果として、前記要素が、垂直方向および／または全周囲に向かって水平方向に変形して、前記くつ底表面（３）と整列することが可能である本底において、少なくとも２つのグループの要素（２ａ、２ｂ）が存在し、
垂直方向の変形によって前記要素（２ａ、２ｂ）を前記くつ底表面（３）と整列させるために、第２のグループの前記要素（２ｂ）に対するよりも第１のグループの前記要素（２ａ）に対する方が少なくとも略１０Ｎだけ大きい力が必要であり、
水平方向の変形によって前記要素（２ａ、２ｂ）を前記くつ底表面（３）と整列させるために、前記第２のグループの前記要素（２ｂ）に対するよりも前記第１のグループの前記要素（２ａ）に対する方が少なくとも略５Ｎだけ小さい力が必要であることと、を特徴とする、本底。
【請求項２】
垂直方向の変形によって前記要素（２ａ、２ｂ）を前記くつ底表面（３）と整列させるために、前記第２のグループの前記要素（２ｂ）に対するよりも前記第１のグループの前記要素（２ａ）に対する方が少なくとも略２０Ｎ、好ましくは略３０Ｎだけ大きい力が必要であることと、
水平方向の変形によって前記要素（２ａ、２ｂ）を前記くつ底表面（３）と整列させるために、前記第２のグループの前記要素（２ｂ）に対するよりも前記第１のグループの前記要素（２ａ）に対する方が少なくとも略７．５Ｎ、好ましくは１０Ｎだけ小さい力が必要であることと、を特徴とする、請求項１に記載の本底。
【請求項３】
前記第１のグループの前記要素（２ａ）は前記かかと部（１ａ）の大部分を占め、前記第２のグループの前記要素（２ｂ）は前記母指球部（１ｂ）の大部分を占めることを特徴とする、請求項１または２のいずれかに記載の本底。
【請求項４】
前記第１のグループの前記要素（２ａ）は、いずれの場合も、前記かかと部（１ａ）および前記母指球部（１ｂ）の主に前記内側に配置されるか、又は主に前記外側に配置されることを特徴とする、請求項１〜３のいずれか１項に記載の本底。
【請求項５】
前記第１のグループの前記要素（２ａ）は、前記かかと部（１ａ）で、主に前記内側に配置されるか、又は主に前記外側に配置され、母指球部（１ｂ）では、逆配置で配置されることを特徴とする、請求項１〜３のいずれか１項に記載の本底。
【請求項６】
前記第１のグループの前記要素（２ａ）は、前記くつ底表面（３）に対して５〜７ｍｍ、好ましくは６ｍｍだけ下方に突出し、前記第２のグループの前記要素（２ｂ）に対して１〜３ｍｍ、好ましくは２ｍｍだけ下方に突出することを特徴とする、請求項１〜５のいずれか１項に記載の本底。
【請求項７】
前記第１のグループの前記要素（２ａ）に関して、
垂直方向の変形によって、前記第１のグループの前記要素（２ａ）を前記くつ底表面（３）と整列させるために、１７０〜１９０Ｎ、好ましくは１８０Ｎが必要であることと、
水平方向の変形によって、前記第１のグループの前記要素（２ａ）を前記くつ底表面（３）と整列させるために、３５〜４５Ｎ、好ましくは４０Ｎが必要であることと、
を特徴とする、請求項１〜６のいずれか１項に記載の本底。
【請求項８】
前記第２のグループの前記要素（２ｂ）に関して、
垂直方向の変形によって、前記第２のグループの前記要素（２ｂ）を前記くつ底表面（３）と整列させるために、１４０〜１６０Ｎ、好ましくは１５０Ｎが必要であることと、
水平方向の変形によって、前記第２のグループの前記要素（２ｂ）を前記くつ底表面（３）と整列させるために、４５〜５５Ｎ、好ましくは５０Ｎが必要であることと、
を特徴とする、請求項１〜７のいずれか１項に記載の本底。
【請求項９】
前記要素（２ａ、２ｂ）は、プラットフォームの形態であり、好ましくは回転対称であり、平坦が好ましいベース部（７）の上の空洞であり、前記くつ底表面（３）に対して溝（４）によって全周囲を囲まれ、前記要素を前記溝に至る少なくとも途中まで変形させることが可能であることを特徴とする、請求項１〜８のいずれか１項に記載の本底。
【請求項１０】
前記第１のグループの前記要素（２ａ）は、前記第２のグループの前記要素（２ｂ）よりも厚いベース部（７）を有する結果として、前記くつ底表面（３）を越えて、前記第２のグループの前記要素（２ｂ）よりもさらに下方に突出することを特徴とする、請求項９に記載の本底。
【請求項１１】
前記第１のグループの少なくとも１つの要素（２ａ）の前記ベース部が、接合パッド（９）分だけ厚いことを特徴とする、請求項１０に記載の本底。
【発明の詳細な説明】
【技術分野】
【０００１】
本発明は、くつの本底に関し、本底では、かかと部および母指球部において、複数の要素が、全周囲でその要素を囲むくつ底表面に対して下方に突出しており、ランニング中に力が要素に作用する結果として、前記要素が垂直方向および、または全周囲に向かって水平方向に変形して、前記くつ底表面と整列することが可能である。
【背景技術】
【０００２】
弾性的に変形する本底に関する多数の各種異なる構造が公知であり、様々な異なる硬度レベルの弾性材料が使用されている。エアクッションまたはゲルクッションが内蔵された本底も公知である。これらは、ランニング中に発生する負荷を緩和し、ひいては、ランナーの運動系、特に、関節を保護し、さらに、快適なランニング感覚をもたらすことを意図されている。
【０００３】
現在市販されているほとんどのランニングシューズは、くつ底の圧縮に伴い、主に垂直方向、すなわち、ランニング面に対して垂直な方向の弾性を可能にするが、水平方向または接線方向には比較的剛性であるばね特性を有し、この点で、足が、ある程度のスライド動作と共に、地面に対して斜めに置かれた場合に十分に変形しない。後者の理由は、特に、比較的高いレベルの、くつ底の水平方向の変形性により、一種の浮動効果が生じ、ひいては、ランナーの安定性および定常性に悪影響を及ぼすためであると考えられる。各ステップで、足が配置地点からけり出されるときに、いずれの場合も、まず第一に、くつ底が、足を地面に置く方向とは反対の方向にある程度変形するので、ランナーはある程度不安定になる。当然ながら、すでにある程度、浮動効果が市販のスポーツシューズで生ずるのは事実である。この作用を回避するために、これらのスポーツシューズのほとんどは、比較的硬質で変形しない態様で設計されたくつ底の前部を有し、足は、通常この前部からけり出される。
【０００４】
国際公開第０３／１０３４３０号は、顕著な接線方向の変形性にもかかわらず、少なくとも１つの臨界変形を超えると、その程度まで変形した領域では、本底が、接線方向の変形に関して基本的に剛性になるという点で浮動効果を回避する本底を開示している。臨界変形に達すると、ランナーは、それぞれの足配置地点または負荷のかかる地点で安定を保ち、その地点から、不安定になることなく再度けり出すことができる。国際公開第０３／１０３４３０号は、少なくとも１つの臨界変形を超えたくつ底の剛性とあわせて、くつ底の接線方向の変形性の問題解決策の原理に対して十分な理解をもたらす様々な例示的実施形態について、記載している。
【０００５】
国際公開第２００６／０８９４４８号は、国際公開第０３／１０３４３０号で説明した原理に従って機能する、さらに発展した本底の実施形態を開示している。求められる効果を得るために必要な機能性、すなわち、接線方向の変形性と、少なくとも１つの臨界変形を超えた接線方向の変形に関係する剛性とが、一方で、垂直方向および水平方向に変形可能な要素に割り当てられ、他方で、くつ底表面に割り当てられる。これらの変形可能な要素およびくつ底表面は、かかと上、および、または本底の母指球部上での踏み返し動作時に、常に、２つの機能性が、時間的および空間的に互いに十分に接近して使用されるように配置される。
【０００６】
それらの主要な負荷に関する大きな相違は、様々なランナーによって比較的長期にわたって使用された本底の摩耗パターンから求めることができる。これらの相違は、個々のランナーの特性である様々なランニングスタイルに起因する。相違はまた、様々なランニング距離によって生じる。例えば、短距離ランナーは、主に足の前部で走り、事実上母指球部のみに負荷がかかる。それに対して、長距離ランナーは通常かかとで着地し、足全体で踏み返す。足の外側で走る人と足の内側で走る人との間に相違がある。足の外側で走る人は、かかとの外側で着地し、ミッドフットの外側部で踏み返し、同様に外側母指球部で、または小さい方の４つの足指部でけり出す。足の内側で走る人の場合は逆である。例えば、ランナーが足の外側で着地し、ミッドフットを横断するかたちで踏み返し、親指部からけり出す混合形態もあり、逆も同様である。本底は、垂直方向に変形可能であるが、同様に、前方向、後ろ方向、および横方向で接線方向に変形可能であるので、国際公開第２００６／０８９４４８号から公知の本底は、これらの様々なタイプの負荷のすべてにうまく適合でき、足の自然な動作に追従することができる。
【発明の概要】
【０００７】
したがって、本発明の目的は、様々なランニングスタイルにさらに良好に適合する、導入部に記したタイプの本底を特定することである。
【０００８】
本発明は、請求項１の特徴部によって、上記本底に対してこれを達成する。ここで、かかと部および母指球部において、複数の要素が、いずれの場合も全周囲でその要素を囲むくつ底表面に対して下方に突出し、ランニング中に力が要素に作用する結果として、前記要素が、垂直方向および／または全周囲に向かって水平方向に変形して、くつ底表面と整列することが可能である本底に、少なくとも２つのグループの要素が存在する。一方で、垂直方向の変形により要素をくつ底表面と整列させるために、第２のグループの要素に対するよりも第１のグループの要素に対する方が少なくとも約１０Ｎだけ大きい力が必要である。他方で、水平方向の変形により要素をくつ底表面と整列させるために、第２のグループの要素に対するよりも第１のグループの要素に対する方が少なくとも約５Ｎだけ小さい力が必要である。
【０００９】
加えられる必要がある変形力における差は、さらにより大きいのが好ましく、したがって、垂直方向の変形により要素をくつ底表面と整列させるために、第２のグループの要素に対するよりも第１のグループの要素に対する方が少なくとも約２０Ｎ、好ましくは約３０Ｎだけ大きい力が必要であり、従って、水平方向の変形により要素をくつ底表面と整列させるために、第２のグループの要素に対するよりも第１のグループの要素に対する方が少なくとも約７．５Ｎ、好ましくは１０Ｎだけ小さい力が必要である。
【００１０】
要素を変形性に関する特性が異なる２つのグループに分割することには、ランナーのランニングスタイルに応じて、本底の様々な領域に様々な要素を配置できるという利点がある。ランナーが自分の足を地面に最初に置く本底の領域は、足が配置された瞬間に、同時に大きな接線方向成分を伴う最も大きな力を受ける。第１のグループの要素は、この領域に適するのが好ましい。逆に、ランナーが踏み返し、再度けり出す本底の領域は通常比較的小さい力を受け、接線方向成分もそれほど顕著でない。第２のグループの要素は、これらの領域にあるのが望ましい。
【００１１】
様々な要素の巧みな配置により、本底がランナーのランニングスタイルに最適に適合することが可能になる。その結果、第１のグループの要素は、かかと部の大部分を占めることができ、第２のグループの要素は、母指球部の大部分を占めることができる。第１のグループの要素は、いずれの場合も、かかと部および母指球部の主に内側に配置することも、主に外側に配置することもできる。あるいは、第１のグループの要素は、かかと部の主に内側に配置することも、主に外側に配置することもでき、母指球部では逆配置することができる。負荷パターンに応じて、他の配置も可能である。
【００１２】
要素は、例えば、第１のグループの要素が、くつ底表面に対して５〜７ｍｍ、好ましくは６ｍｍだけ下方に突出し、第２のグループの要素に対して１〜３ｍｍ、好ましくは２ｍｍだけ下方に突出するように構成することができる。
【００１３】
垂直方向の変形により、第１のグループの要素をくつ底表面と整列させるために、例えば、１７０〜１９０Ｎ、好ましくは１８０Ｎの力が必要であり得る。水平方向の変形により、第１のグループの要素をくつ底表面と整列させるために、例えば、３５〜４５Ｎ、好ましくは４０Ｎの力が必要であり得る。
【００１４】
垂直方向の変形により、第２のグループの要素をくつ底表面と整列させるために、例えば、１４０〜１６０Ｎ、好ましくは１５０Ｎの力が必要であり得る。水平方向の変形により、第２のグループの要素をくつ底表面と整列させるために、例えば、４５〜５５Ｎ、好ましくは５０Ｎの力が必要であり得る。
【００１５】
要素をプラットフォームの形態で設計する、または回転対称とする、またはその他、楕円形とする、もしくは角張らせることが可能である。要素は、好ましくは平坦な、または若干湾曲したベース部上の空洞であるのが好ましい。要素は、くつ底表面に対して全周囲を溝で囲まれており、前記溝に至る少なくとも途中まで変形することが可能である。第１のグループの要素は、例えば、第２のグループの要素よりも厚いベース部を有することにより、くつ底表面を越えて第２のグループの要素よりもさらに下方に突出することができる。第１のグループの少なくとも１つの要素のベース部は、例えば、接合したパッドの分だけ厚くすることができる。要素は、発生する負荷に対して十分な耐性があり、さらにグリップが良好であるエラストマーで構成することができる。
【００１６】
本発明が、例示的な実施形態に関連して、かつ図面に関連して、下記にさらに詳細に説明される。
【図面の簡単な説明】
【００１７】
【図１ａ】２つのグループの要素を含む、本発明による本底を示す。
【図１ｂ】本底および要素のＡ−Ａ’断面を示す。
【図２】図２は、要素の断面を示し、ａ）は変形前を示し、ｂ）は垂直方向の変形時を示し、ｃ）は垂直および水平方向の変形時を示している。
【図３】図３は、図１ａによるＡ−Ａ’断面を示し、要素がパッドで厚くなっている。
【図４】２つのグループの要素を含む、本発明による本底を示し、グループの様々な配置がａ）〜ｄ）に示されている。
【発明を実施するための形態】
【００１８】
図１ａは、下から見た（底面図）本発明による本底のランニング面を示している。本底は、かかと部１ａおよび母指球部１ｂにプラットフォームの形態の複数の回転対称要素２ａ、２ｂを有する。４つの要素２ａは、いずれの場合も、２つの要素が、内側、外側、前部および後部に配置されるように、かかと部１ａに配置されている。７つの要素２ｂは、母指球部１ｂに配置され、これらの要素のうちの３つは内側に配置され、３つは外側に配置されている。第７の要素は、前部の中央に配置されている。２つの先頭の要素は、本底のつま先部の周辺に配置されている。本底のうちのかかと部１ａと母指球部１ｂとの間の領域には要素は全くない。
【００１９】
要素２ａ、２ｂは、いずれの場合も全周囲をくつ底表面３で囲まれている。溝４は、要素２ａ、２ｂとくつ底表面３との間に存在し、この溝は、全周囲で要素２ａ、２ｂを囲んでいる。
【００２０】
図１ｂは、図１ａによる、本底のＡ−Ａ’断面を示している。ファイロン（Ｐｈｙｌｏｎ）またはポリウレタンなどの弾性変形可能な材料でできた層６は、本底の下面、または本底の中底５に施される。中底５は、要素２ａ、２ｂの領域に凹部を有する。層６は、１部片構成で耐性エラストマーからできており、くつ底表面３および要素２ａ、２ｂを形成している。層６はまた、２つ以上の部片構成で形成することもできる。溝４は、いずれの場合もくつ底表面３と要素２ａ、２ｂとの間に配置されている。負荷のかかっていない状態で、要素２ａ、２ｂは、くつ底表面３に対して下方に突出する。それらは、平坦な、または若干湾曲したベース部７を有する。平坦なベース部７と中底５との間の凹部には、空洞８が存在している。くつ底表面３の領域では、層６が中底５に直接施されている。
【００２１】
要素２ａ、２ｂは、第１のグループ２ａおよび第２のグループ２ｂに分かれている。
負荷のかかっていない状態では、第１のグループの要素２ａは、くつ底表面３に対して５〜７ｍｍ、好ましくは６ｍｍだけ下方に突出し、第２のグループの要素２ｂに対して１〜３ｍｍ、好ましくは２ｍｍだけ下方に突出する。
【００２２】
図２ａ）〜ｃ）に示すように、本底の要素２ａ、２ｂは、足が地面１０に置かれたときに、垂直方向（図２ｂ））および／または全周囲に向かって水平方向（図２ｃ））に変形することができる。足が地面に置かれたときに、力が要素に作用する結果として、要素は圧縮されてくつ底表面３と整列し、かつ／または横方向に変形して溝４に入り、垂直方向の変形により、要素をくつ底表面３と整列させるためには、第２のグループの要素２ｂに対するよりも第１のグループの要素２ａに対する方が、少なくとも約１０Ｎだけ大きな力が必要である。水平方向の変形により要素をくつ底表面３と整列させるために、第２のグループの要素２ｂに対するよりも第１のグループの要素２ａに対する方が、少なくとも約５Ｎだけ小さい力が必要である。
【００２３】
垂直方向の変形に関して、第１のグループの要素２ａをくつ底表面３と整列させるために、１７０〜１９０Ｎ、好ましくは１８０Ｎの力が必要である。それに対して、第２のグループの要素２ｂに対しては、より小さい１４０〜１６０Ｎ、好ましくは１５０Ｎの力が必要である。少なくとも１０Ｎのこれらの力の差は、主に、第１のグループの要素２ａが第２のグループの要素２ｂよりもさらに下方に突出することで達成される。これは、第１のグループの要素２ａのベース部７が、くつ底表面３と整列するまで移動しなければならない距離、ひいては、必要な力が、より大きいことを意味する。
【００２４】
水平方向の変形に対する力の場合は逆になる。水平方向の変形に関しては、第１のグループの要素２ａをくつ底表面３と整列させるために、３５〜４５Ｎ、好ましくは４０Ｎの力が必要である。第２のグループの要素２ｂをくつ底表面３と整列させるためには、４５〜５５Ｎ、好ましくは５０Ｎの力が必要である。少なくとも５Ｎの力のこの差も、主に、第１のグループの要素２ａが、第２のグループの要素２ｂよりもさらに下方に突出することで達成される。これは、高い方のグループの要素２ａのてこ作用が大きく、そのため、変形させるのに、より小さい力をかければよいということもまた事実であることを意味する。
【００２５】
第１のグループの要素２ａは、例えば、第２のグループの要素２ｂよりも厚いベース部７を有することで、くつ底表面３を越えて第２のグループの要素２ｂよりもさらに下方に突出する。第１のグループの要素２ａのベース部７が、図３に示すように、接合パッド９によって厚くなった場合も同じ効果が得られる。
【００２６】
図４ａ）〜ｄ）は、異なる配置の２つのグループの要素２ａ、２ｂを含む、本発明による本底を図１ａと同じ図を使用して示し、いずれの場合も、左足のくつのくつ底だけが示されている。当然ながら、それぞれに対応する右足のくつは、通常鏡像反転した配置で提供されるべきであるが、足のサイズが異なる、または足位置が異なるランナーのために、左足のくつおよび右足のくつを個別に異なったように設計することが可能である。第１のグループの要素２ａは、網掛けによって特定される。第２のグループの要素２ｂには網掛けがない。
【００２７】
図４ａ）では、第１のグループの要素２ａは、かかと部１ａに配置され、第２のグループの要素２ｂは、母指球部１ｂに配置されている。この配置は、かかとで「着地」し、母指球で踏み返す長距離ランナーに特に適している。かかと部の最初の高い負荷ピークを和らげ、減衰させるために、これらの要素は、この段階では、水平方向成分も同様に大きいことから、水平方向に容易に変形できることと併せて、垂直方向で弾性的に大きく撓む必要がある。これらの要件は、第１のグループの要素２ａによって厳密に満たされる。次の踏み返し動作時に、作用する力による負荷は小さくなるので、垂直方向および水平方向の変形性に関して、第２のグループの要素２ｂはより有利であり、さらに、より快適であると感じられる。図４ａ）の配置は、標準的なウォーキングにも適している。
【００２８】
図４ｂ）〜ｄ）では、第１のグループの要素２ａは、母指球部１ｂにも配置され、反対に、第２のグループの要素２ｂは、かかと部１ａにも配置されている。しかし、第１のグループの要素２ａは、依然として、かかと部１ａの大部分を占め、第２のグループの要素２ｂは、依然として、母指球部１ｂの大部分を占める。
【００２９】
図４ｂ）では、さらに、第１のグループの要素２ａは、主に内側に配置され、第２のグループの要素２ｂは、主に外側に配置されている。この配置は、具体的には足の内側で走る人に適している。
【００３０】
図４ｃ）は、図４ｂ）に対応する実施形態を示しているが、第１のグループの要素２ａが、主に外側に配置され、第２のグループの要素２ｂが、主に内側に配置されており、これは、主に足の外側で走る人により適している。
【００３１】
図４ｄ）では、第１のグループの要素２ａは、主にかかと部１ａの外側に配置され、母指球部１ｂでは逆の配置で主に内側に配置されている。この配置は、後部の外側から前部の内側に横断するかたちで足で踏み返すランナーに有利である。後部の内側から前部の外側への、おそらくかなりまれな踏み返し挙動に対して、第１のグループの要素２ａが、主にかかと部１ａの内側、および主に母指球部１ｂの外側に配置されることも可能である。
【００３２】
当然ながら、様々な要素のさらなる分布パターンが同様に可能であり、様々なタイプのスポーツの特定の移動パターンを考慮に入れることができる。最後に、以上に加えて、さらに別の特性を有するさらなる要素を設けることも可能である。
【符号の説明】
【００３３】
１ａ  かかと部
１ｂ  母指球部
２ａ  第１のグループの要素
２ｂ  第２のグループの要素
３  くつ底表面
４  溝
５  中底
６  層
７  ベース部
８  空洞
９  パッド
１０  地面
【図１ａ】
2013539673.tif 000003
【図１ｂ】
2013539673.tif 000004
【図２】
2013539673.tif 000005
【図３】
2013539673.tif 000006
【図４】
2013539673.tif 000007
【国際調査報告】
2013539673.tif 000008
2013539673.tif 000009
2013539673.tif 000010
2013539673.tif 000011
2013539673.tif 000012
2013539673.tif 000013